(57)【要約】【課題】簡単な構造で、施錠状態のとき、鍵の挿脱が可能で、解錠状態のときは、鍵の抜取りが不可能な構造にしたと共に、鍵の抜き差しを規制する抜き差し規制手段を着脱可能にしたシリンダ錠を提供する。【解決手段】シリンダ錠１００は、外筒１０と、内筒２０と、抜き差し規制手段３０と、センタリングバネ４０と、デッドボルト５０と、カバー６０とを備える。抜き差し規制手段３０は、外筒１０の係合溝１２ｂの形状に対応したベース部３０ａと凸部３０ｂとから構成され、ベース部３０ａが係合溝１２ｂに嵌合することで、係合溝１２ｂに対して着脱可能である。また、内筒２０は、外筒１０に対して回動自在に嵌挿され、内筒２０のタンブラ配置部２１には切り欠き部２２ｂを有するタンブラ２２が移動可能に配置される。解錠状態において、抜き差し規制手段３０は、タンブラが内筒の外周面より突出する移動を阻止する。【選択図】        図１
2010242389.tif 000002
【特許請求の範囲】
【請求項１】
内周面に解錠領域及び施錠領域を形成する２以上の係合溝が設けられた外筒と、
鍵穴を有し、軸線と直交する方向に複数のタンブラ配置部が形成され、前記外筒に対して回動自在に嵌挿された内筒と、
前記タンブラ配置部に移動可能に配置され、前記内筒の外周面から突出して前記係合溝に係合すると前記内筒の回動を規制するタンブラと、
前記外筒の少なくとも１つの係合溝に設けられ、鍵の抜き差しを規制する抜き差し規制手段とを備え、
解錠状態において、前記抜き差し規制手段は、前記タンブラが内筒の外周面より突出する移動を阻止することを特徴とするシリンダ錠。
【請求項２】
前記タンブラは、鍵穴を有する板状のタンブラであり、
前記タンブラの施錠状態で前記抜き差し規制手段と接触する位置を凹ませて切り欠き部を形成されていることを特徴とする請求項１に記載のシリンダ錠。
【請求項３】
前記抜き差し規制手段は、前記外筒の係合溝に着脱可能であることを特徴とする請求項１または２に記載のシリンダ錠。
【請求項４】
前記抜き差し規制手段は、前記外筒と一体に形成された凸部であり、該凸部の根本は、端部より小さく形成されていることを特徴とする請求項１または２に記載のシリンダ錠。
【請求項５】
前記抜き差し規制手段は、前記外筒の外側から挿入され、アクチュエーターにより挿入位置を制御可能な棒状または板状部材であることを特徴とする請求項１または２に記載のシリンダ錠。
【発明の詳細な説明】
【技術分野】
【０００１】
本発明は、鍵を挿入して回動することにより施錠および解錠動作するシリンダ錠に関し、特に、施錠状態のとき、錠本体に対して鍵を抜き差しでき、解錠状態のとき、錠本体に対して鍵を抜き差しできないようにしたシリンダ錠に関するものである。
【背景技術】
【０００２】
シリンダ錠は、本体部分が円筒形（cylinder）であり、錠ケースに固定する外筒と、可動式の内筒が入れ子状になっており、タンブラ（障害子）の動きによって内筒が回転することで、カムを介してデッドボルトを動かして施解錠する。タンブラの形状や作動原理によって、ピンタンブラ方式、ディスクタンブラ方式などの種類がある。
【０００３】
従来、図１０に示すようなディスクタンブラ式シリンダ錠１がドア、引き出し等に使用されている。図１０（ａ）は、施錠状態を示している。図１０（ｂ）は、解錠状態を示している。このシリンダ錠１は、施錠状態のときも、解錠状態のときも、錠本体に対して鍵を抜き差しできるようになっている。
【０００４】
ディスクタンブラは、タンブラを薄い板状のディスクにしたものであり、ディスク一枚ごとに位置を変えた鍵を通す穴を設けてあり、施錠時はディスクの上端か下端がシリンダの外筒に突き出しているため、内筒が動かない。鍵を差し込むと、刻みの深さに応じてディスクが上下にスライドすることで内筒に収まり、回転できるようになる。
【０００５】
図１０に示すように、シリンダ錠１は、外筒１０と、内筒２０と、センタリングバネ４０と、デッドボルト５０と、カバー６０と備える。外筒１０の内周面の解錠領域及び施錠領域に２の係合溝１２ａ，１２ｂが設けられている。また、内筒２０は、鍵穴を有し、軸線と直交する方向に複数のタンブラが設けられ、外筒１０に対して回動自在に嵌挿される。
【０００６】
また、施錠状態のときも、解錠状態のときも、錠本体に対して鍵を抜き差しでき、玄関錠のような用途に適用できるディスク錠装置が提案されている（例えば、特許文献１参照）。
【０００７】
特許文献１に開示のディスク錠装置は、端板、各仕切板、および各ディスクの板面には、鍵を挿脱するための鍵挿通孔がそれぞれ設けられ、端板および各仕切板の鍵挿通孔は、鍵の回動操作角度範囲の両端位置で鍵の挿脱が可能となるように形成されるとともに、各ディスクの鍵挿通孔は、鍵の回動操作角度範囲とディスクの回動角度範囲との差の角度範囲の両端位置で鍵の挿脱が可能となるように形成される。この場合、鍵を正逆回動することにより施錠および解錠動作する。
【先行技術文献】
【特許文献】
【０００８】
【特許文献１】特開２００１−１９３３２２号公報
【発明の概要】
【発明が解決しようとする課題】
【０００９】
しかしながら、上記した従来のシリンダ錠および特許文献１に開示のディスク錠装置は、施錠状態のときも、解錠状態のときも、錠本体に対する鍵の挿脱が可能な構造のものであるため、解錠した後に鍵が錠本体から外した場合は、施錠忘れがしばしば発生する欠点があった。
【００１０】
そのため、施錠忘れを防止する観点から、引き出し、金庫、店舗等のレジのような用途では、解錠状態のときは、錠本体に挿入された鍵の抜取りが不可能な構造が望まれている。
【００１１】
そこで、本発明は、簡単な構造で、施錠状態のとき、錠本体に対する鍵の挿脱が可能で、解錠状態のときは、錠本体に挿入された鍵の抜取りが不可能な構造にしたと共に、鍵の抜き差しを規制する抜き差し規制手段を着脱可能にしたシリンダ錠を提供することを目的とする。
【課題を解決するための手段】
【００１２】
上記課題を解決するため、本発明に係るシリンダ錠は、内周面に解錠領域及び施錠領域を形成する２以上の係合溝が設けられた外筒と、鍵穴を有し、軸線と直交する方向に複数のタンブラ配置部が形成され、前記外筒に対して回動自在に嵌挿された内筒と、前記タンブラ配置部に移動可能に配置され、前記内筒の外周面から突出して前記係合溝に係合すると前記内筒の回動を規制するタンブラと、前記外筒の少なくとも１つの係合溝に設けられ、鍵の抜き差しを規制する抜き差し規制手段とを備え、解錠状態において、前記抜き差し規制手段は、前記タンブラが内筒の外周面より突出する移動を阻止することを特徴とするものである。
【００１３】
例えば、前記タンブラは、鍵穴を有する板状のタンブラであり、前記タンブラの施錠状態で前記抜き差し規制手段と接触する位置を凹ませて切り欠き部を形成されている。
【００１４】
また例えば、前記抜き差し規制手段は、前記外筒の係合溝に着脱可能である。
【００１５】
また例えば、前記抜き差し規制手段は、前記外筒と一体に形成された凸部であり、該凸部の根本は、端部より小さく形成されている。
【００１６】
また例えば、前記抜き差し規制手段は、前記外筒の外側から挿入され、アクチュエーターにより挿入位置を制御可能な棒状または板状部材である。
【発明の効果】
【００１７】
本発明によれば、シリンダ錠は、外筒の解錠領域に設けられた係合溝に鍵の抜き差しを規制する抜き差し規制手段を設けることで、簡単な構造で、施錠状態のとき、錠本体に対する鍵の挿脱が可能で、解錠状態のとき、錠本体に挿入された鍵の抜取りを不可能にすることを簡単に実現できる。そのため、引き出し、金庫、店舗等のレジのような用途において、解錠した後に鍵が錠本体から外した場合、施錠忘れを防止することができる。
【００１８】
また、タンブラの施錠状態で抜き差し規制手段と接触する位置を凹ませて切り欠き部を形成されていることで、内筒の回転位置が外筒の解錠領域以外の位置において、抜き差し規制手段の存在に影響されず、通常の動作を行うことができる。
【００１９】
また、抜き差し規制手段は、外筒の係合溝に着脱可能にすることで、必要に応じて、製造時に抜き差し規制を簡単に切り替えることができる。
【００２０】
また、抜き差し規制手段は、外筒と一体に形成された凸部にすることで、部品数が少なくなり、組み立て作業が簡単になる利点がある。また、凸部の根本は、端部より小さく形成されているため、凸部を折り取ることが可能であり、製造時に、必要に応じて抜き差し規制を簡単に切り替えることができる。
【００２１】
さらに、抜き差し規制手段は、外筒の外側から挿入され、アクチュエーターにより挿入位置を制御可能な棒状または板状部材とすることで、必要に応じて任意に抜き差しを規制することができる。
【図面の簡単な説明】
【００２２】
【図１】第１の実施の形態のシリンダ錠１００の構成を示す分解図である。
【図２】シリンダ錠１００の構成を示す組み立て図である。
【図３】シリンダ錠１００の動作を示す図（その１）である。
【図４】シリンダ錠１００の動作を示す図（その２）である。
【図５】抜き差し規制手段がない場合のシリンダ錠１００の動作を示す図（その１）である。
【図６】抜き差し規制手段がない場合のシリンダ錠１００の動作を示す図（その２）である。
【図７】第２の実施の形態のシリンダ錠１００Ａの構成を示す断面図である。
【図８】第３の実施の形態のシリンダ錠１００Ｂの構成を示す断面図である。
【図９】第４の実施の形態のシリンダ錠２００の構成を示す断面図である。
【図１０】従来のシリンダ錠１の構成を示す断面図である。
【発明を実施するための形態】
【００２３】
以下、本発明に係るシリンダ錠を実施するための形態を、図を参照して説明する。
【００２４】
本発明に係るシリンダ錠は、鍵（キー）の鍵山で操作する板状のタンブラを備え、正規の鍵が鍵孔に挿入されると板状のタンブラが内筒内に没して内筒が回転可能になるよう形成されたものである。
【００２５】
図１は、本発明の第１の実施の形態のシリンダ錠１００の構成を示す分解図である。また、図２は、シリンダ錠１００の組み立て状態を示している。図３および図４は、シリンダ錠１００の動作を示す図である。
【００２６】
図１〜図４に示すように、シリンダ錠１００は、外筒１０と、内筒２０と、抜き差し規制手段３０と、センタリングバネ４０と、デッドボルト５０と、カバー６０とを備える。
【００２７】
外筒１０は、円筒部１１と、内周面に解錠領域及び施錠領域を形成する２つの係合溝１２ａ，１２ｂと、センタリングバネ４０およびデッドボルト５０を収納するケース１３とを有する。係合溝１２ａ，１２ｂは、円筒部１１の軸方向に沿って形成され、内筒２０に配置されたタンブラ２２が内筒２０の外周面より突出する移動を許容するために設けられたものである。
【００２８】
内筒２０は、円柱状の外周面および鍵穴を有し、軸線と直交する方向に複数のタンブラ配置部２１が形成されている。この内筒２０は、外筒１０に対して回動自在に嵌挿される。タンブラ配置部２１にはディスク状のタンブラ２２が移動（スライド）可能に配置される。また、タンブラ２２は、鍵穴２２ａを有し、施錠状態で抜き差し規制手段３０と接触する位置を凹ませて切り欠き部２２ｂを形成されている。そして、タンブラ２２は、ピンバネ２３により下方に付勢される。また、タンブラ２２は、内筒２０の外周面から突出して係合溝１２ａ，１２ｂに係合すると、内筒２０の回動が規制される。
【００２９】
抜き差し規制手段３０は、例えば樹脂材料から形成され、係合溝１２ｂの形状に対応したベース部３０ａと凸部３０ｂとから構成される。この抜き差し規制手段３０は、ベース部３０ａが係合溝１２ｂに嵌合することで、着脱可能である。また、凸部３０ｂはタンブラ２２の切り欠き部２２ｂに対応する寸法を有する。この例において、凸部３０ｂはベース部３０ａから突出したリブであるが、これに限定されるものではない。１つまたは複数のタンブラ２２に対応した位置にのみ凸部を形成するようにしてもよい。
【００３０】
センタリングバネ４０は、作動片を初期位置へ確実に戻すためのものある。また、デッドボルト５０は、内筒２０の回転動作に連動するかんぬきであり、この例では引き出し用タイプのものを示している。また、カバー６０は、ケース１３の裏側を覆うものであり、取り付け用ネジ等を通す穴が設けられている。
【００３１】
次に、シリンダ錠１００の動作について、図３、図４を参照しながら説明する。
【００３２】
図３（ａ）は、シリンダ錠１００の鍵が挿入されていない状態を示す断面図である。図３（ａ）に示すように、鍵Ｋが挿入されていない状態において、タンブラ２２は、ピンバネ２３により付勢され、内筒２０の外周面より突出し下方（係合溝１２ｂ側）に露出している。そのため、タンブラ２２の下部が回動を阻止するようになり、内筒２０の回動が不可能である。また、この場合、タンブラ２２に切り欠き部２２ｂが設けられているため、抜き差し規制手段３０の存在により影響されない。
【００３３】
図３（ｂ）は、シリンダ錠１００の鍵挿入中の状態を示す断面図である。図３（ｂ）に示すように、鍵挿入中の状態において、鍵縁面の凹凸によりタンブラ２２が上下方向にスライドするようになり、外筒１０の内面に係合溝１２ａが設けられているため、タンブラ２２の上下移動が可能であり、鍵Ｋの挿入ができるようになっている。  
【００３４】
図４（ａ）は、シリンダ錠１００の鍵が挿入された状態を示す断面図である。図４（ａ）に示すように、鍵Ｋの刻みが合致する場合、鍵Ｋが挿入された状態において、全てのタンブラ２２が内筒２０の外周面より突出する部分がなく、タンブラ２２の上下とも回動を阻止しないため、内筒２０が回転可能になる。この状態は解錠可能の状態である。
【００３５】
図４（ｂ）は、シリンダ錠１００の解錠状態を示す断面図である。図４（ｂ）の場合は、図４（ａ）の状態から、鍵Ｋを１８０度回転して解錠状態になった。図４（ｂ）に示すように、解錠状態では、鍵Ｋの凹凸が形成された縁面が下向きになり、即ち、タンブラ２２の切り欠き部２２ｂがある側面が上の位置になり、タンブラ２２の切り欠き部のない側面（切り欠き部２２ｂと対向する側面）が下向きになり、また、この状態では、抜き差し規制手段３０の凸部３０ｂにより押さえら全てのタンブラ２２が内筒２０の外周面より突出する部分がなく、内筒２０が回転可能であるが、鍵Ｋが抜けない。仮に、鍵Ｋを抜こうとすると、鍵Ｋの凹凸（即ち、鍵山）によりタンブラ２２が下方へ押し出されようとするが、抜き差し規制手段３０の凸部３０ｂにあたり移動不可となる。その結果、鍵Ｋが抜けない。
【００３６】
また、内筒２０が回転可能であるため、図４（ｂ）に示す状態から、鍵Ｋを１８０度回転すると、施錠状態になる。施錠状態では、上述した図３（ｂ）に示すように、タンブラ２２が自由に上下方向にスライドすることができるので、鍵Ｋの挿脱が可能である。
【００３７】
次に、シリンダ錠１００において、抜き差し規制手段３０がない場合の動作について、図５、図６を参照しながら説明する。
【００３８】
図５（ａ）は、鍵が挿入されていない状態を示す断面図である。図５（ａ）に示すように、鍵Ｋが挿入されていない状態において、タンブラ２２は、ピンバネ２３により付勢され、内筒２０の外周面より突出し下方（係合溝１２ｂ側）に露出している。そのため、タンブラ２２の下部が回動を阻止するようになり、内筒２０の回動が不可能である。また、この場合、タンブラ２２に切り欠き部２２ｂが設けられているが、抜き差し規制手段３０の存在しないため、動作には影響しない。即ち、鍵Ｋが挿入されていない状態において、タンブラ２２は、ピンバネ２３により付勢され、内筒２０の外周面より突出し下方（係合溝１２ｂ側）に露出している。
【００３９】
図５（ｂ）は、鍵挿入中の状態を示す断面図である。図５（ｂ）に示すように、鍵挿入中の状態において、上述した図３（ｂ）に示す状態と同様に、鍵縁面の凹凸によりタンブラ２２が上下移動するようになり、外筒１０の内面に係合溝１２ａが設けられているため、タンブラ２２の上下移動が可能であり、鍵Ｋの挿入ができるようになっている。  
【００４０】
図５（ｃ）は、鍵が挿入された状態を示す断面図である。図５（ｃ）に示すように、鍵Ｋの刻みが合致する場合、鍵Ｋが挿入された状態において、全てのタンブラ２２が内筒２０の外周面より突出する部分がなく、タンブラ２２の上下とも回動を阻止しないため、内筒２０が回転可能になる。この状態は解錠可能の状態である。
【００４１】
図６（ａ）は、解錠状態を示す断面図である。図６（ａ）の場合は、図５（ｃ）の状態から、鍵Ｋを１８０度回転して解錠状態になった。図６（ａ）に示すように、鍵Ｋの凹凸が形成された縁面が下向きになり、即ち、タンブラ２２の切り欠き部２２ｂがある側面が上の位置になり、タンブラ２２の切り欠き部のない側面（切り欠き部２２ｂと対向する側面）が下向きになり、この状態では、抜き差し規制手段３０が存在しないため、内筒２０が回転可能であり、かつ鍵Ｋが抜け出すことが可能である。
【００４２】
図６（ｂ）は、解錠状態で鍵Ｋを抜こうとする状態を示す断面図である。図６（ｂ）に示すように、鍵Ｋを抜こうとすると、鍵Ｋの凹凸によりタンブラ２２が下方へ押し出されようとし、抜き差し規制手段３０がないため、移動が制限されず、その結果、鍵Ｋの抜き差しができる。
【００４３】
即ち、抜き差し規制手段３０を設ける場合は、施錠状態のとき、鍵Ｋの挿脱が可能で、解錠状態のとき、鍵Ｋの抜取りが不可能である。一方、抜き差し規制手段３０を外した場合は、従来のように、施錠状態のときも、解錠状態のときも、鍵Ｋの挿脱が可能である。
【００４４】
このように本実施の形態においては、シリンダ錠１００は、外筒１０と、内筒２０と、抜き差し規制手段３０と、センタリングバネ４０と、デッドボルト５０と、カバー６０とを備える。抜き差し規制手段３０は、外筒１０の係合溝１２ｂの形状に対応したベース部３０ａと凸部３０ｂとから構成され、ベース部３０ａが係合溝１２ｂに嵌合することで、係合溝１２ｂに対して着脱可能である。また、内筒２０は、外筒１０に対して回動自在に嵌挿され、内筒２０のタンブラ配置部２１には切り欠き部２２ｂを有するタンブラ２２が移動可能に配置される。
【００４５】
これにより、簡単な構造で、施錠状態のとき、錠本体に対する鍵の挿脱が可能で、解錠状態のとき、錠本体に挿入された鍵の抜取りを不可能にすることを簡単に実現できる。そのため、引き出し、金庫、店舗等のレジのような用途において、解錠した後に鍵が錠本体から外した場合、施錠忘れを防止することができる。
【００４６】
また、抜き差し規制手段３０は、外筒１０の係合溝１２ｂに着脱可能にすることで、必要に応じて、製造時に抜き差し規制を簡単に切り替えることができる。
【００４７】
図７は、本発明の第２の実施の形態のシリンダ錠１００Ａの構成を示す断面図である。図７においては、シリンダ錠１００Ａのタンブラ２２が配置される位置の断面で、鍵Ｋが挿入されていない状態を示している。
【００４８】
シリンダ錠１００Ａは、抜き差し規制手段３０Ａ以外に、上述した第１の実施の形態のシリンダ錠１００と同様の構成を有する。
【００４９】
図７に示すように、外筒１０の内周面の解錠領域及び施錠領域に係合溝１２ａ，１２ｂを有する。係合溝１２ａ，１２ｂは、内筒２０に配置されたタンブラ２２が内筒２０の外周面より突出する移動を許容するために設けられたものである。
【００５０】
内筒２０は、円柱状の外周面および鍵穴を有し、軸線と直交する方向に複数のタンブラ配置部２１が形成されている。タンブラ配置部２１にはディスク状のタンブラ２２が移動可能に配置される。また、タンブラ２２は、鍵穴２２ａと切り欠き部２２ｂを有し、ピンバネ２３により下方に付勢される。この内筒２０は、外筒１０に対して回動自在に嵌挿される。
【００５１】
抜き差し規制手段３０Ａは、外筒１０と一体に形成された凸部である。この抜き差し規制手段３０Ａの根本は、端部より小さく形成されているため、必要に応じて凸部を折り取ることが可能である。また、凸部はタンブラ２２の切り欠き部２２ｂに入られるように切り欠き部２２ｂに対応する寸法を有する。
【００５２】
このように本実施の形態においては、シリンダ錠１００Ａは、外筒１０と、内筒２０と、抜き差し規制手段３０Ａとを備える。抜き差し規制手段３０Ａは、外筒１０と一体に形成された凸部であり、かつ、根本は端部より小さく形成されている。
【００５３】
これにより、第２の実施の形態のシリンダ錠１００Ａは、上述した第１の実施の形態と同様の効果が得られると共に、抜き差し規制手段３０Ａは、外筒１０と一体に形成された凸部にすることで、部品数が少なくなり、組み立て作業が簡単になる効果が得られる。また、抜き差し規制手段３０Ａの根本は、端部より小さく形成されているため、凸部を折り取ることができ、製造時に必要に応じて抜き差し規制を簡単に切り替えることができる。
【００５４】
図８は、本発明の第３の実施の形態のシリンダ錠１００Ｂの構成を示す断面図である。図８においては、シリンダ錠１００Ｂのタンブラ２２が配置される位置の断面で、鍵Ｋが挿入されていない状態を示している。
【００５５】
シリンダ錠１００Ｂは、抜き差し規制手段３０Ｂ以外に、上述した第１の実施の形態のシリンダ錠１００と同様の構成を有する。
【００５６】
図８に示すように、外筒１０の内周面の解錠領域及び施錠領域に係合溝１２ａ，１２ｂを有する。係合溝１２ａ，１２ｂは、内筒２０に配置されたタンブラ２２が内筒２０の外周面より突出する移動を許容するために設けられたものである。
【００５７】
また、タンブラ２２は、鍵穴２２ａと切り欠き部２２ｂを有し、ピンバネ２３により下方に付勢される。この内筒２０は、外筒１０に対して回動自在に嵌挿される。
【００５８】
抜き差し規制手段３０Ｂは、外筒１０の外側から挿入され、アクチュエーターにより挿入位置を制御可能な棒状または板状部材である。この抜き差し規制手段３０Ｂは、タンブラ２２の切り欠き部２２ｂに入れるように切り欠き部２２ｂに対応する寸法を有する。また、棒状または板状部材として、例えば、ソレノイド等を用いることができる。
【００５９】
このように本実施の形態においては、シリンダ錠１００Ｂは、外筒１０と、内筒２０と、抜き差し規制手段３０Ｂとを備える。抜き差し規制手段３０Ｂは、外筒１０の外側から挿入され、アクチュエーターにより挿入位置を制御可能な棒状または板状部材である。
【００６０】
これにより、第３の実施の形態のシリンダ錠１００Ｂは、上述した第１の実施の形態と同様の効果が得られると共に、抜き差し規制手段は、外筒１０の外側から挿入され、アクチュエーターにより挿入位置を制御可能な棒状または板状部材とすることで、任意に抜き差しを規制することができる。
【００６１】
図９は、本発明の第４の実施の形態のシリンダ錠２００の構成を示す断面図である。図９においては、シリンダ錠２００のタンブラ２２が配置される位置の断面で、鍵Ｋが挿入されていない状態を示している。
【００６２】
図９に示すように、シリンダ錠２００は、外筒１０の内周面に２対の解錠領域及び施錠領域を有し、即ち、外筒１０の内周面に４つの係合溝１２ａ，１２ｂ，１２ｃ，１２ｄを有する。係合溝１２ａ，１２ｂ，１２ｃ，１２ｄは、内筒２０に配置されたタンブラ２２が内筒２０の外周面より突出する移動を許容するために設けられたものである。また、タンブラ２２は、鍵穴２２ａと切り欠き部２２ｂを有し、ピンバネ２３により下方に付勢される。この内筒２０は、外筒１０に対して回動自在に嵌挿される。
【００６３】
また、抜き差し規制手段３０は、上述した第１の実施の形態と同様の構成を有する。この例において、２つの抜き差し規制手段３０がそれぞれ外筒１０の係合溝１２ｂ，１２ｃに配置されている。また、抜き差し規制手段３０は、ベース部３０ａが係合溝１２ｂ，１２ｃに嵌合することで、着脱可能である。
【００６４】
このように本実施の形態においては、シリンダ錠２００は、外筒１０の内周面に４つの係合溝１２ａ，１２ｂ，１２ｃ，１２ｄを有する。うち係合溝１２ｂ，１２ｃに抜き差し規制手段３０が配置されている。
【００６５】
これにより、第４の実施の形態のシリンダ錠２００は、円周上の２つのポジションにおいて鍵の抜き差しを規制することができる。
【００６６】
なお、上述実施の形態においては、ディスクタンブラのシリンダ錠について説明したが、これに限定されるものではない。他のタイプのタンブラを有するシリンダ錠にも適用できる。
【００６７】
また、上述実施の形態においては、抜き差し規制手段３０が樹脂材料から形成されたものとしたが、これに限定されるものではない。例えば、金属材料から形成するようにしてもよい。
【００６８】
また、上述実施の形態においては、引き出し用タイプのシリンダ錠について説明したが、これに限定されるものではない。
【産業上の利用可能性】
【００６９】
この発明は、シリンダ錠に対して、解錠状態のとき鍵の抜き差しを制限する目的に利用できる。
【符号の説明】
【００７０】
１０  外筒
１１  円筒部
１２ａ，１２ｂ，１２ｃ，１２ｄ  係合溝
２０  内筒
２１  タンブラ配置部
２２  タンブラ
２２ａ  鍵穴
２２ｂ  切り欠き部
２３  ピンバネ
３０，３０Ａ，３０Ｂ  抜き差し規制手段
３０ａ  ベース部
３０ｂ  凸部
４０  センタリングバネ
５０  デッドボルト
６０  カバー
１００，１００Ａ，１００Ｂ，２００  シリンダ錠
Ｋ  鍵
【図１】
2010242389.tif 000003
【図２】
2010242389.tif 000004
【図３】
2010242389.tif 000005
【図４】
2010242389.tif 000006
【図５】
2010242389.tif 000007
【図６】
2010242389.tif 000008
【図７】
2010242389.tif 000009
【図８】
2010242389.tif 000010
【図９】
2010242389.tif 000011
【図１０】
2010242389.tif 000012